(57)【要約】【課題】印字層の鏡面反射率が小さくても、ラベル面に照射される光の焦点位置を制御して印字することが可能な光ディスク装置を提供することを目的とする。【解決手段】本発明の光ディスク装置は、光ピックアップにより光ディスク１０上のラベルに情報の記録を行う光ディスク装置であって、ラベルは印字層１１と透明な保護層１２を備え、保護層１２の表面に光ピックアップのレーザ光源２１から出射される記録光の焦点位置を制御することにより、印字層１１に記録光を照射して印字する構成よりなる。【選択図】図１
2006040367.tif 000002
【特許請求の範囲】
【請求項１】
光ディスク上に設けられたラベルに対して光ピックアップによって情報の記録を行う光ディスク装置であって、前記ラベルは印字層と透明な保護層を備え、前記光ピックアップからの記録光の一部が前記保護層の表面で反射して光ピックアップに戻る戻り光を用いて前記光ピックアップをフォーカス制御し、前記保護層を透過した前記記録光を前記印字層に照射して印字することを特徴とする光ディスク装置。
【請求項２】
前記ラベルの前記印字層が前記記録光の少なくとも一部を吸収し熱変換した熱によって印字される感熱紙であり、前記保護層が透明樹脂コーティング層であることを特徴とする請求項１記載の光ディスク装置。
【発明の詳細な説明】
【技術分野】
【０００１】
本発明は、光ディスクのラベル面に文字や画像情報等を印字する光ディスク装置に関するものである。
【背景技術】
【０００２】
記録可能な光ディスク及び光ディスク装置が普及し、光ディスクに記録した内容を認識して管理するために、手書き、あるいは、プリンタ等の印字手段で光ディスクのラベル面に記録内容に関する情報を書き込むことがなされている。また、光ディスク装置の内部でラベル面の感熱記録紙などに情報印字する技術が、例えば（特許文献１）に記載されている。
【０００３】
これにより、光ディスク装置以外の外部の印字手段を用いずに品質の良い印字が実現できる。また、感熱記録紙の印字層は、染料、熱に反応して染料を発色させる顕色材、及び、光ピックアップから出射される記録光の波長を効率良く吸収して熱変化する光熱変換色素等からなり、印字層の高感度化も検討されている。これらに関する技術が、例えば、（特許公報１）に記載されている。
【特許文献１】特開２０００−３０４０８号公報
【発明の開示】
【発明が解決しようとする課題】
【０００４】
感熱記録紙からなる印字層は、染料、顕色材、色素などを粉砕して微粒子にし、紙材へ塗布して形成されているが、その表面は光を散乱する。光ディスク装置では、光ディスク上の情報面に焦点を結ぶようにするために、光ディスクからの反射光を光センサで受光して、そのフォーカスサーボ信号に基づいて集光レンズを制御するが、このような印字層では光の散乱によって、その表面に焦点位置を制御することが困難である等の問題があった。
【０００５】
本発明は以上の課題を解決するためになされたものであり、印字層の鏡面反射率が小さくても、ラベル面に照射される光の焦点位置を制御して印字することが可能な光ディスク装置を提供することを目的とする。
【課題を解決するための手段】
【０００６】
上記課題を解決するために本発明の光ディスク装置は、光ディスク上に設けられたラベルに対して光ピックアップによって情報の記録を行う光ディスク装置であって、前記ラベルは印字層と透明な保護層を備え、前記光ピックアップからの記録光の一部が前記保護層の表面で反射して光ピックアップに戻る戻り光を用いて前記光ピックアップをフォーカス制御し、前記保護層を透過した前記記録光を前記印字層に照射して印字することを特徴とする光ディスク装置である。
【発明の効果】
【０００７】
本発明は、印字層に所定の厚さの透明な保護層を形成することにより、保護層の表面で鏡面反射した光を用いて光ピックアップをフォーカス制御することができるため、印字層の鏡面反射率が小さくても、ラベル面に照射される光の焦点位置を制御して印字することが可能な光ディスク装置を実現することができる。
【発明を実施するための最良の形態】
【０００８】
本願の発明は、光ディスク上に設けられたラベルに対して光ピックアップによって情報
の記録を行う光ディスク装置であって、前記ラベルは印字層と透明な保護層を備え、前記光ピックアップからの記録光の一部が前記保護層の表面で反射して光ピックアップに戻る戻り光を用いて前記光ピックアップをフォーカス制御し、前記保護層を透過した前記記録光を前記印字層に照射して印字することを特徴とする光ディスク装置である。
【０００９】
印字層に所定の厚さの透明な保護層を形成することにより、保護層の表面で鏡面反射した光を用いて光ピックアップをフォーカス制御することができるため、印字層の鏡面反射率が小さくても、ラベル面に照射される光の焦点位置を制御して印字することが可能な光ディスク装置を実現することができる。
【００１０】
本願の発明において、前記ラベルの前記印字層を、前記記録光の少なくとも一部を吸収し熱変換した熱によって印字される感熱紙とすることができ、前記保護層を透明樹脂コーティング層とすることができる。
【００１１】
以下、本発明をその実施の形態に基づいて説明する。
【００１２】
図１は本発明の実施の形態に係る光ディスク装置の構成図である。図１において、光ディスク１０は、ラベル面にロイコ系感熱材を含む印字層１１と、印字層１１上にコーティングされた、厚さ３０μｍで屈折率ｎ＝１．５の透明樹脂による保護層１２からなる印字用のラベルを備えている。
【００１３】
レーザ光源２１から出射された光は、ビームスプリッタ２２、コリメータレンズ２３を通過し、反射ミラー２４で反射され、対物レンズ２５で集光されて保護層１２の表面に集光される。対物レンズ２５の開口数は０．６であり、対物レンズ２５は、その位置を光ディスクに対して相対的に変位させる図示しないフォーカスサーボ機構によって保持されている。対物レンズ２５から出射した光は、ｎ0＝１．０の空気中から保護層１２に入射し、保護層１２の表面で屈折率の差によるフレネル反射により、入射光の約４％が鏡面反射する。鏡面反射された光は同じ対物レンズ２５、コリメータレンズ２３を通って戻り、ビームスプリッタ２２で分離されてフォーカスサーボを得るためのシリンドリカルレンズ２６へ導かれ、光センサ２７上で受光される。
【００１４】
シリンドリカルレンズ２６の作用により、光センサ２７上に光の焦点位置と保護層１２の表面の位置関係に応じた光量分布が生じ、この光量分布から生成した信号に基づいて光ピックアップの対物レンズ２５を保護層１２の表面に対してフォーカス制御する。保護層１２を透過した約９６％の光は、保護層１２の厚さと屈折率、及び、対物レンズ２５の開口数に依存して、印字層１１上で直径約２６μｍの光スポットとなり、印字層１１にその一部が吸収されて熱となり印字層１２が変色することで印字される。
【００１５】
なお、印字層１１上の透明な保護層１２の厚さ、保護層１２の屈折率、及び、光ピックアップの対物レンズ２５の開口数に従って、印字層１１上に照射される光スポット直径、すなわち光ビームのエネルギー密度を変化させることができるので、対物レンズ２５の開口数と印字層１１の印字感度特性に応じて、保護層１２の厚さ、及び、屈折率を適宜設定することができる。
【産業上の利用可能性】
【００１６】
本発明の光ディスク装置は、保護層の表面で光が鏡面反射し、その反射光を用いて保護層表面に焦点を結ばせるようフォーカス制御することが可能であり、光ディスク装置の内部でラベル面の感熱材に情報印字する光ディスク装置に適用できる。
【図面の簡単な説明】
【００１７】
【図１】本発明の実施の形態に係る光ディスク装置の構成図
【符号の説明】
【００１８】
１０    光ディスク
１１    印字層
１２    保護層
２１    レーザ光源
２２    ビームスプリッタ
２３    コリメータレンズ
２４    反射ミラー
２５    対物レンズ
２６    シリンドリカルレンズ
２７    光センサ
【図１】
2006040367.tif 000003